(57)【要約】【課題】装飾体の動きによって優雅な印象を与えることが可能な装身具を提供すること。【解決手段】装飾体（４）を固定する石座（３）と、石座を吊り下げるように連結した台座（２）と、を備えた装身具（１）であって、台座は、石座側を向く第１面及び第１面と反対側の第２面を有しており、第１面において外側に膨出するとともに、石座を吊り下げる連結部（２３）を備えた膨出部（２１ａ）を有し、石座は、第１面側に向けて突出する突出部（３４）を有しており、台座は、石座の突出部と接触して石座を支持する支持領域（２６）を備え、突出部が支持領域に接触した状態において、石座は、突出部が支持領域に接触した部分を支点に回転する構成とした。【選択図】図１
2014023549.tif 000002
【特許請求の範囲】
【請求項１】
装飾体を固定する石座と、前記石座を吊り下げるように連結した台座と、を備えた装身具であって、
前記台座は、前記石座側を向く第１面及び前記第１面と反対側の第２面を有しており、前記第１面において外側に膨出するとともに、前記石座を吊り下げる連結部を備えた膨出部を有し、
前記石座は、前記第１面側に向けて突出する突出部を有しており、
前記台座は、前記石座の突出部と接触して前記石座を支持する支持領域を備え、
前記突出部が前記支持領域に接触した状態において、前記石座は、前記突出部が前記支持領域に接触した部分を支点に回転することを特徴とする装身具。
【請求項２】
前記支持領域は、前記第１面側から前記突出部に向かって隆起された隆起部を備え、前記突出部は、前記隆起部の周面を転がるように接触することを特徴とする請求項１に記載の装身具。
【請求項３】
前記台座は、前記第１面から離れる方向への前記石座の移動を規制する規制部を備えることを特徴とする請求項１又は請求項２に記載の装身具。
【請求項４】
前記突出部は、前記第１面に向かって直線状に延びる延出部を備え、
前記支持領域は、前記突出部を収容する穴部を有し、前記穴部に前記延出部が収容された状態で前記穴部の内周面と前記延出部の一部とが接触することを特徴とする請求項１に記載の装身具。
【発明の詳細な説明】
【技術分野】
【０００１】
本発明は、ペンダントなどの装身具に関し、特に、宝石などの装飾体を固定された石座が台座の前方において吊り下げられた装身具に関する。
【背景技術】
【０００２】
従来より、宝石などの装飾体を吊り下げるように支持させた装身具が知られている（例えば、特許文献１参照）。特許文献１に記載の装身具は、ネックレス用チェーンと、ネックレス用チェーンに連結される台座と、台座に支持される装飾体とを備えている。装飾体は、台座の前方の支持部において吊り下げられており、被装着者の動きに応じて揺れ動かされる。装飾体が揺れ動かされることで、装飾体からの反射光の向きは変化されて装身具の存在感は増大される。
【先行技術文献】
【特許文献】
【０００３】
【特許文献１】特開２００５−２０５２３０号公報
【発明の概要】
【発明が解決しようとする課題】
【０００４】
上述の装身具において、装飾体は支持部で吊り下げられており、被装着者の動きに応じて細かく揺れ動かされる。ところが、装飾体が細かく揺れ動かされると、反射光は小刻みに変化され、装飾体を観察する者に対して優雅な印象を与えられなくなる。
【０００５】
本発明はかかる点に鑑みてなされたものであり、装飾体の動きによって優雅な印象を与えることが可能な装身具を提供することを目的とする。
【課題を解決するための手段】
【０００６】
本発明の装身具は、装飾体を固定する石座と、前記石座を吊り下げるように連結した台座と、を備えた装身具であって、前記台座は、前記石座側を向く第１面及び前記第１面と反対側の第２面を有しており、前記第１面において外側に膨出するとともに、前記石座を吊り下げる連結部を備えた膨出部を有し、前記石座は、前記第１面側に向けて突出する突出部を有しており、前記台座は、前記石座の突出部と接触して前記石座を支持する支持領域を備え、前記突出部が前記支持領域に接触した状態において、前記石座は、前記突出部が前記支持領域に接触した部分を支点に回転することを特徴とする。
【０００７】
この構成によれば、石座は、突出部が支持領域に接触した状態において、突出部が支持領域に接触した部分を支点に回転する。その結果、石座は大きく回転して細かく揺れ動かないので、反射光の小刻みな変化を抑制して優雅な印象を与えることができる。
【０００８】
本発明の装身具において、前記支持領域は、前記第１面側から前記突出部に向かって隆起された隆起部を備え、前記突出部は、前記隆起部の周面を転がるように接触することが好ましい。この構成によれば、突出部が支持領域の隆起部の周面を転がるように接触するので、石座を確実に回転させることができる。
【０００９】
本発明の装身具において、前記台座は、前記第１面から離れる方向への前記石座の移動を規制する規制部を備えることが好ましい。この構成によれば、規制部によって第１面から離れる方向への石座の移動は規制されて、第１面に対して垂直な方向における石座の細かな揺れを抑制できる。また、石座の裏返りを防止できる。
【００１０】
本発明の装身具において、前記突出部は、前記第１面に向かって直線状に延びる延出部を備え、前記支持領域は、前記突出部を収容する穴部を有し、前記穴部に前記延出部が収容された状態で前記穴部の内周面と前記延出部の一部とが接触することが好ましい。この構成によれば、突出部の延出部が支持領域の穴部に収容され、穴部の内周面と延出部の一部とが接触するので、石座を適切に回転させることができる。また、延出部が穴部に収容されることで、石座の第１面に対して垂直な方向への移動は規制されるので、第１面に対して垂直な方向における細かな揺れを抑制できる。また、石座の裏返りを防止できると共に、石座に固定される装飾体と台座との接触を防止できる。
【発明の効果】
【００１１】
本発明によれば、装飾体の動きによって優雅な印象を与えることが可能な装身具を提供できる。
【図面の簡単な説明】
【００１２】
【図１】実施の形態１に係るペンダントの構成を示す図である。
【図２】実施の形態１に係る台座及び石座の構成を説明するための図である。
【図３】実施の形態１に係るペンダントの動きを説明するための図である。
【図４】実施の形態２に係るペンダントの構成を示す図である。
【図５】実施の形態２に係る台座の構成を説明するための図である。
【図６】実施の形態２に係る石座の構成を説明するための図である。
【発明を実施するための形態】
【００１３】
本発明の実施の形態について添付図面を参照して詳細に説明する。なお、以下の実施の形態では装身具の一例としてペンダントを示しているが、本発明の適用対象となる装身具はペンダントに限定されるものではない。また、以下の説明において、上、下、左、右、前、後の方向は、ペンダントが被装着者に装着された使用状態における方向を示すものとする。
【００１４】
（実施の形態１）
図１は、本実施の形態に係るペンダント（装身具）の構成を示す図である。図１Ａは、ペンダントの正面図であり、図１Ｂは、ペンダントの左側面図である。なお、本実施の形態の説明に用いる各図において、ペンダントの左右をそれぞれ矢印Ｌ，Ｒで示し、ペンダントの前方を矢印Ｆで示す。
【００１５】
図１に示すように、本実施の形態に係るペンダント（装身具）１は、金、銀、プラチナ、真鍮などの金属で形成された台座２を備えている。台座２の前方には、台座２と同様の素材で形成された石座３が吊り下げられている。石座３には、ダイヤモンド、エメラルド、ルビーなどの宝石（装飾体）４が固定される。
【００１６】
図２は、台座２及び石座３の構成を説明するための図である。図２Ａは、台座２の正面図であり、図２Ｂは、図２ＡのＩＩＢ−ＩＩＢ線における矢視断面図であり、図２Ｃは、石座３の背面図である。図１及び図２に示すように、台座２は、吊り下げられた石座３側を向く前面（第１面）Ｓ１と略平坦な後面（第２面）Ｓ２とを有する本体部２０を含む。本体部２０の上端部には、ネックレス用チェーン（不図示）の挿通される挿通穴２５が設けられている。挿通穴２５に挿通されるネックレス用チェーンを被装着者の首に掛けることで、ペンダント１は被装着者に装着される。ペンダント１が被装着者に装着された使用状態において、本体部２０の後面Ｓ２は被装着者側を向き、台座２は本体部２０の後面Ｓ２において被装着者と接触される。これにより、ペンダント１は、使用状態において被装着者の胸部上方の位置に保持される。
【００１７】
本体部２０は、左右方向（第１方向）より、上下方向（第２方向）に長い縦長の形状を有している。本体部２０の上側の上半部２１は、上端から下方に向かうにつれて左右に幅広となるように形成されている。一方、下側の下半部２２は、宝石４の輪郭に対応するような略半円形の正面形状を有している。この形状により、本体部２０の重心は、上下方向の中央より下方側に位置付けられ、吊り下げられる石座３の重心位置との関係において釣り合いがとれるようになっている。
【００１８】
上半部２１の前方には膨出部２１ａが形成されている。膨出部２１ａは、石座３を吊り下げることができるように、本体部２０から前方に向かって膨出されている。すなわち、膨出部２１ａは、本体部２０の前面Ｓ１において外側に膨出されている。膨出部２１ａの前端部には、左右に開口された連結穴２３ａを備える連結リング（連結部）２３が設けられている。石座３は、この連結リング２３を介して台座２から吊り下げられている。つまり、石座３は、台座２の前方において吊り下げられている。上述のように、台座２の本体部２０は、石座３との間で重量のバランスがとれるように形成されている。このため、使用状態のペンダント１は、被装着者の胸部上方の位置において安定される。
【００１９】
連結リング２３のさらに前方には、石座３の前方への揺れを規制するための規制部２４が設けられている。この規制部２４は、連結リング２３の前方を覆うよう形成されている。この規制部２４により、後述するように連結リング２３と連結される連結リング３３の前後方向（本体部２０の前面Ｓ１に対して垂直な方向）への移動は規制される。その結果、石座３の前後方向への揺れは規制されると共に、石座３の裏返りは防止される。
【００２０】
石座３は、宝石４の形状に対応する嵌合穴３１ａが形成された環状部３１を含む。環状部３１の外周には、４個の把持部３２ａ，３２ｂ，３２ｃ，３２ｄが設けられている。把持部３２ａ〜３２ｄは、環状部３１の前方及び後方に突出されており、環状部３１の嵌合穴３１ａに嵌合される宝石４の前後を把持して固定する。なお、把持部３２ａ，３２ｂは、環状部３１の前方で分岐されているが（図１Ａ）、環状部３１の後方において一体になっている（図２Ｃ）。宝石４は、クラウン部４１とパビリオン部４２とを含む。宝石４は、パビリオン部４２が環状部３１の嵌合穴３１ａに挿入され、クラウン部４１が把持部３２ａ〜３２ｄにより把持されることで、石座３に固定される。
【００２１】
石座３の上端部には、台座２の連結穴２３ａに挿通される連結リング３３が設けられている。連結リング３３は、前後に開口された連結穴３３ａを有している。台座２と石座３とは、連結リング２３，３３により構成される連結機構を介して連結されており、石座３は、台座２の前方において吊り下げられている。ここで、台座２と石座３とは、連結リング２３，３３により遊びを持った状態で連結されている。このため、ペンダント１の使用状態において外力が加わると、石座３は、被装着者の胸部上方の位置に保持される台座２に対し、連結機構を支点に相対的に運動される。
【００２２】
本発明者は、このようなペンダント１において宝石４のような装飾体が細かく揺れ動かされて反射光が小刻みに変化されると、優雅な印象を与え難くなる点に着目した。この問題は、装飾体が細かく揺れ動かされることに起因しており、装飾体を大きく動かすことができれば解消できると考えられる。本発明者は、これらの知見に基づき、石座３の後方に突出された突出部３４を台座２の支持領域２６に接触させ、これらが接触した部分を支点として石座３が回転されるように構成することで、石座３を大きく回転させることができることを見出して本発明を完成させた。以下において、この特徴部分について説明する。
【００２３】
石座３の上部には、後方の台座２に向かって突出された突出部３４が設けられている。また、台座２には、石座３の突出部３４に対応する位置において石座３を支持する支持領域２６が形成されている。図２Ｃに示すように、突出部３４は、水平方向に直線状に延びて支持領域２６と接触する接触部３４ａと、接触部３４ａを石座３に固定する腕部３４ｂとを有している。また、図２Ｂに示すように、支持領域２６は、石座３に向かって隆起された隆起部２６ａにより構成されている。隆起部２６ａは、接触部３４ａの延びる方向（水平方向）に対して垂直な方向に延びる尾根状に形成されている。
【００２４】
隆起部２６ａと接触部３４ａとは、ペンダント１が吊り下げられた使用状態において互いに接触するように構成されている。このため、隆起部２６ａと接触部３４ａとは、石座３が回転する際の支点となる。具体的には、例えば、被装着者の動きなどによって外力が加えられると、石座３は、支持領域２６の隆起部２６ａと突出部３４の接触部３４ａとの接触部分を支点に回転される。突出部３４の接触部３４ａは、支持領域２６の隆起部２６ａの表面（周面）を転がるように支持領域２６（隆起部２６ａ）に接触されている。なお、外力が加えられない状態では、石座３は、宝石４のクラウン部４１が正面を向くように支持される。
【００２５】
ペンダント１の動きを説明する。図３は、ペンダント１の動きを説明するための図である。図３Ａ及び図３Ｂは、それぞれ、ペンダント１の動きを模式的に示しており、図３Ｃ及び図３Ｄは、それぞれ、図３Ａ及び図３Ｂの状態における支持領域２６（隆起部２６ａ）と突出部３４（接触部３４ａ）との位置関係を模式的に示している。
【００２６】
上述のように、石座３は、連結リング２３，３３で構成される連結機構により台座２に連結され、吊り下げられている。このため、使用状態のペンダント１に所定の力が加わると、石座３は、連結機構を第１の支点に運動される。また、石座３の突出部３４と台座２の支持領域２６とは、接触部３４ａと隆起部２６ａとで接触されている（図３Ｃ及び図３Ｄ参照）。このため、石座３には、連結リング２３，３３の連結部分を通る回転軸Ｃの周りの回転力が発生し、隆起部２６ａと接触部３４ａとの接触部分を第２の支点に回転される。つまり、石座３は、連結リング２３，３３の連結部分と、支持領域２６及び突出部３４の接触部分との２箇所を支点に回転運動される。ただし、支持領域２６と突出部３４とは、連結リング２３，３３のように連結されているわけではないから、石座３の回転の際には、支持領域２６と突出部３４とは僅かに滑ることがある。
【００２７】
例えば、石座３に対して右向き（矢印Ｒで示す向き）の力が与えられるとする。接触部３４ａと隆起部２６ａとは接触されているので、与えられた力は接触部３４ａと隆起部２６ａとの接触部分において回転力Ｆ１（図３Ａ参照）となり、石座３は、連結リング２３，３３の連結部分を通る回転軸Ｃの周りにおいて回転力Ｆ１の向きに回転される。そして、図３Ａ及び図３Ｃに示すように、石座３は、宝石４のクラウン部４１が右前方を向いた状態となる。
【００２８】
その後、石座３が連結リング２２，２３の可動範囲の端付近まで回転されると、石座３には、クラウン部４１を正面に向けるような復元力が加わり、回転力Ｆ１とは逆向きの回転力Ｆ２（図３Ｂ参照）が発生する。その結果、石座３は、連結リング２３，３３の連結部分を通る回転軸Ｃの周りにおいて回転力Ｆ２の向きに回転される。そして、図３Ｂ及び図３Ｄに示すように、石座３は、宝石４のクラウン部４１が左前方を向いた状態となる。このような動きを繰り返すことで、石座３は殆ど左右に揺れることなく回転される。石座３は回転軸Ｃの周りに回転されるが、回転軸Ｃ自体は殆ど左右に揺れることはない。
【００２９】
本実施の形態に係るペンダント１において、接触部３４ａは直線状に延びるように構成されており、隆起部２６ａは石座３に向かって隆起されている。このため、隆起部２６ａと接触部３４ａとが接触された状態では、石座３は、隆起部２６ａと接触部３４ａとの接触部分を支点に回転される。このように、台座２と石座３とに、回転の支点となるような形状の支持領域２６と突出部３４とを設ければ、石座３は、支持領域２６と突出部３４との接触部分を支点に回転されて殆ど左右に揺れることはない。すなわち、石座３に対して与えられる力の殆どは、石座３を回転させる力となるので、細かな揺れを抑制して石座３を大きく回転させることができる。
【００３０】
以上のように、本実施の形態のペンダント１では、石座３は、突出部３４が支持領域２６に接触した状態において、突出部３４が支持領域２６に接触した部分を支点に回転する。その結果、石座３は大きく回転して細かく左右に揺れ動かないので、反射光の小刻みな変化を抑制して優雅な印象を与えることができる。
【００３１】
また、本実施の形態のペンダント１において、支持領域２６は、表面Ｓ１側から突出部３４に向かって隆起された隆起部２６ａを備え、突出部３４は、隆起部２６ａの周面を転がるように接触するので、石座３を確実に回転させることができる。
【００３２】
また、本実施の形態のペンダント１において、台座２は、表面Ｓ１から離れる方向への石座３の移動を規制する規制部２４を備えている。このため、規制部２４によって表面Ｓ１から離れる方向への石座３の移動は規制されて、表面Ｓ１に対して垂直な方向（前後方向）における石座３の細かな揺れを抑制できる。また、石座３の裏返りを防止できる。本実施の形態の構成は、他の実施の形態において示す構成と適宜組み合わせて実施できる。
【００３３】
（実施の形態２）
本実施の形態では、実施の形態１とは異なる態様の装身具について説明する。図４は、本実施の形態に係るペンダント（装身具）の構成を示す図である。図４Ａは、ペンダントの正面図であり、図４Ｂは、ペンダントの左側面図である。なお、本実施の形態の説明に用いる各図において、ペンダントの左右をそれぞれ矢印Ｌ，Ｒで示し、ペンダントの前方を矢印Ｆで示す。また、本実施の形態において、実施の形態１と共通する構成については共通する符号を付して詳細な説明を省略する。
【００３４】
図４に示すように、本実施の形態に係るペンダント（装身具）１ａは、金、銀、プラチナ、真鍮などの金属で形成された台座２ａを備えている。台座２ａの前方には、台座２ａと同様の素材で形成された石座３ａが吊り下げられている。石座３ａには、宝石４が正面を向くように固定される。
【００３５】
図５は、台座２ａの構成を説明するための図である。図５Ａは、台座２ａの正面図であり、図５Ｂは、図５ＡのＶＡ−ＶＡ線における矢視断面図である。図４及び図５に示すように、台座２ａは、吊り下げられた石座３ａ側を向く前面（第１面）Ｓ１と略平坦な後面（第２面）Ｓ２とを有する本体部２０を含む。本体部２０の上端部には、ネックレス用チェーン（不図示）の挿通される挿通穴２５が設けられている。挿通穴２５に挿通されるネックレス用チェーンを被装着者の首に掛けることで、ペンダント１ａは被装着者に装着される。ペンダント１ａが被装着者に装着された使用状態において、本体部２０の後面Ｓ２は被装着者側を向き、台座２ａは本体部２０の後面Ｓ２において被装着者と接触される。これにより、ペンダント１ａは、使用状態において被装着者の胸部上方の位置に保持される。
【００３６】
本体部２０は、左右方向（第１方向）より、上下方向（第２方向）に長い縦長の形状を有している。本体部２０の上側の上半部２１は、上端から下方に向かうにつれて左右に幅広となるように形成されている。一方、下側の下半部２２は、宝石４の輪郭に対応するような略半円形の正面形状を有している。この形状により、本体部２０の重心は、上下方向の中央より下方側に位置付けられ、吊り下げられる石座３ａの重心位置との関係において釣り合いがとれるようになっている。
【００３７】
上半部２１の前方には膨出部２１ａが形成されている。膨出部２１ａは、石座３ａを吊り下げることができるように、本体部２０から前方に向かって膨出されている。すなわち、膨出部２１ａは、本体部２０の前面Ｓ１において外側に膨出されている。膨出部２１ａの前端部には、左右に開口された連結穴２３ａを備える連結リング（連結部）２３が設けられている。石座３ａは、この連結リング２３を介して台座２ａから吊り下げられている。つまり、石座３ａは、台座２ａの前方において吊り下げられている。上述のように、台座２ａの本体部２０は、石座３ａとの間で重量のバランスがとれるように形成されている。このため、使用状態のペンダント１ａは、被装着者の胸部上方の位置において安定される。
【００３８】
図６は、石座３ａの構成を説明するための図である。図６Ａは、石座３ａの左側面図であり、図６Ｂは、石座３ａの背面図である。図４及び図６に示すように、石座３ａは、環状部３１と、４個の把持部３２ａ〜３２ｄとを含む。把持部３２ａ〜３２ｄは、環状部３１の前方及び後方に突出されており、環状部３１の嵌合穴３１ａに嵌合される宝石４の前後を把持して固定する。石座３ａの上端部には、台座２ａの連結穴２３ａに挿通される連結リング３３が設けられている。連結リング３３は、前後に開口された連結穴３３ａを有している。台座２ａと石座３ａとは、連結リング２３，３３により構成される連結機構を介して連結され、石座３ａは、台座２ａの前方において吊り下げられている。
【００３９】
石座３ａの上部には、後方の台座２ａに向かって突出された突出部３５が設けられており、台座２ａには、石座３ａの突出部３５に対応する位置において石座３ａを支持する支持領域２７が設けられている。図６Ａ及び図６Ｂに示すように、突出部３５は、後方に向かって直線状に延びる延出部３５ａにより構成されている。また、図５Ａ及び図５Ｂに示すように、支持領域２７は、延出部３５ａを収容可能な穴部２７ａにより構成されている。
【００４０】
穴部２７ａは、台座２を前後に貫通するように形成されており、上下方向の幅と比較して左右方向の幅が広くなっている。より具体的には、穴部２７ａの上下方向の幅は、延出部３５ａの上下方向の幅より僅かに広い程度であるが、穴部２７ａの左右方向の幅は、延出部３５ａの左右方向の幅より十分に広くなっている。このため、石座３ａの回転に伴う延出部３５ａの左右方向の移動は許容されるが、石座３ａの前後方向の揺れは抑制される。また、石座３ａの裏返りを防止できると共に、石座３ａに固定される宝石４と台座２ａとの接触を防止できる。なお、穴部２７ａは、延出部３５ａを左右に移動可能に収容できれば、凹部などの他の形状でも構わない。
【００４１】
ペンダント１ａが吊り下げられた状態において、穴部２７ａの内周面２７ｂ（図５Ａ及び図５Ｂ参照）と、延出部３５ａの外周面３５ｂ（図６Ａ及び図６Ｂ参照）とは接触される。このため、ペンダント１ａに外力が加わると、石座３ａは、穴部２７ａと延出部３５ａとの接触部分を支点に回転される。つまり、本実施の形態のペンダント１ａにおいても、石座３ａは、連結リング２３，３３の連結部分と、支持領域２７及び突出部３５の接触部分との２箇所を支点に回転運動される。
【００４２】
以上のように、本実施の形態のペンダント１ａでは、石座３ａは、突出部３５が支持領域２７に接触した状態において、突出部３５が支持領域２７に接触した部分を支点に回転する。その結果、石座３ａは大きく回転して細かく揺れ動かないので、反射光の小刻みな変化を抑制して優雅な印象を与えることができる。
【００４３】
また、本実施の形態のペンダント１ａにおいて、突出部３５は、表面Ｓ１に向かって直線状に延びる延出部３５ａを備え、支持領域２７は、突出部３５を収容する穴部２７ａを有し、穴部２７ａに延出部３５ａが収容された状態で穴部２７ａの内周面と延出部３５ａの一部とが接触するので、石座３ａを適切に回転させることができる。また、延出部３５ａが穴部２７ａに収容されることで、石座３ａの表面Ｓ１に対して垂直な方向への移動は規制されるので、表面Ｓ１に対して垂直な方向における細かな揺れを抑制できる。また、石座３ａの裏返りを防止できると共に、石座３ａに固定される宝石４と台座２ａとの接触を防止できる。本実施の形態の構成は、他の実施の形態において示す構成と適宜組み合わせて実施できる。
【００４４】
なお、本発明は上記実施の形態に限定されず、種々変更して実施することができる。例えば、上記実施の形態では、水平方向に直線状に延びる接触部を有する突出部と尾根状に隆起された隆起部により構成される支持領域とを用いる例、及び、後方に向かって直線状に延びる延出部により構成される突出部と延出部を収容可能な穴部により構成される支持領域とを用いる例を示したが、支持領域と突出部との構成はこれに限られない。支持領域と突出部とは、少なくとも、回転の際に支点となるような接触部分が形成されるように構成されていれば良い。
【００４５】
また、上記実施の形態においては、略平坦な前面（第１面）及び後面（第２面）を有する台座（又は本体部）を示しているが、台座の前面及び後面は、平坦であることに限られない。前面及び後面は、曲面であっても良い。また、上記実施の形態においては、４個の把持部を含む石座を示しているが、石座が有する把持部の数は変更できる。例えば、把持部の数は３個でも良いし、５個以上でも良い。また、上記実施の形態においては、装身具の例としてペンダントを例示しているが、本発明の適用対象はこれらに限られない。本発明は、指輪、イヤリング、ブレスレット、ブローチなどの各種装身具に適用可能である。
【００４６】
また、上記実施の形態において、添付図面に図示されている大きさや形状などについては、これに限定されず、本発明の効果を発揮する範囲内で適宜変更することが可能である。その他、本発明は、その目的とする範囲を逸脱しない限りにおいて適宜変更して実施することが可能である。
【産業上の利用可能性】
【００４７】
本発明は、ペンダントをはじめとする装身具に有用である。
【符号の説明】
【００４８】
１，１ａ  ペンダント（装身具）
２，２ａ  台座
３，３ａ  石座
４  宝石（装飾体）
２０  本体部
２１  上半部
２１ａ  膨出部
２２  下半部
２３  連結リング（連結部）
２３ａ，３３ａ  連結穴
２４  規制部
２５  挿通穴
２６，２７  支持領域
２６ａ  隆起部
２７ａ  穴部
２７ｂ  内周面
３１  環状部
３１ａ  嵌合穴
３２ａ，３２ｂ，３２ｃ，３２ｄ  把持部
３３  連結リング
３４，３５  突出部
３４ａ  接触部
３４ｂ  腕部
３５ａ  延出部
３５ｂ  外周面
Ｓ１  前面（第１面）
Ｓ２  後面（第２面）
【図１】
2014023549.tif 000003
【図２】
2014023549.tif 000004
【図３】
2014023549.tif 000005
【図４】
2014023549.tif 000006
【図５】
2014023549.tif 000007
【図６】
2014023549.tif 000008